(57)【要約】【課題】新規（未サポート）のネットワークエレメント（ＮＥ）が既存のネットワークに追加されても効率よくＮＥの構成管理やＮＥ間の接続性管理、障害管理等を行うネットワーク管理システム及び方法を提供する。【解決手段】ネットワーク管理システム（ＮＭＳ）において、対応するコマンドリストを予め保持していない未サポートネットワークエレメント（ＮＥ）からレスポンスデータを取得するコマンド生成部を設け、そのレスポンスデータからコマンドリストを自動生成する。ＮＭＳはこのコマンドリストを用いて、ＮＥから自動で構成情報を取得する。【選択図】    図１
2004282640.tif 000002
【特許請求の範囲】
【請求項１】
複数のネットワークエレメントと管理用ネットワークで接続され、各ネットワークエレメントを管理するネットワーク管理システムにおいて、
前記ネットワークエレメント毎にコマンドのリストをあらかじめ保持しておくコマンドリスト保持手段と、
前記コマンドリスト保持手段のコマンドリストに基いて前記ネットワークエレメントに対応するコマンド群を送出してネットワークエレメント構成情報を収集する情報収集手段と、
未サポートネットワークエレメントからレスポンスデータを取得し、そのレスポンスデータからコマンドリストを自動生成するコマンド生成部と、
を有することを特徴とするネットワーク管理システム。
【請求項２】
請求項１記載のネットワーク管理システムにおいて、
前記コマンドリスト生成部により自動生成したコマンドリストを用いてネットワークエレメントから自動でネットワークエレメント構成情報を取得する構成情報取得手段を有することを特徴とするネットワーク管理システム。
【請求項３】
請求項１記載のネットワーク管理システムにおいて、
前記コマンドリスト生成部により自動生成したコマンドリストとコマンド投入補助機能部を用いて未サポートネットワークエレメントへコマンドを投入するコマンド投入手段を有することを特徴とするネットワーク管理システム。
【請求項４】
複数のネットワークエレメントと管理用ネットワークで接続され、各ネットワークエレメントの構成管理およびネットワークエレメント間の接続性管理、障害管理、性能管理を行なうネットワーク管理方法であって、
前記ネットワークエレメント毎にコマンドのリストをあらかじめ保持しておくコマンドリスト保持ステップと、
前記保持手段のコマンドリストに基いて前記ネットワークエレメントに対応するコマンド群を送出してネットワークエレメント構成情報を収集する情報収集する情報収集ステップと、
未サポートネットワークエレメントからレスポンスデータを取得し、そのレスポンスデータからコマンドリストを自動生成するコマンド生成ステップとを含むことを特徴とするネットワーク管理方法。
【請求項５】
請求項４記載のネットワーク管理方法において、
前記コマンド生成ステップにより自動生成したコマンドリストとコマンド投入補助機能部を用いて、未サポートネットワークエレメントへコマンドを投入するステップを含むことを特徴とするネットワーク管理方法。
【発明の詳細な説明】
【０００１】
【発明の属する技術分野】
本発明は、ネットワークエレメント（ＮＥ；Ｎｅｔｗｏｒｋ  Ｅｌｅｍｅｎｔ  ）と、それを管理するネットワーク管理システム（ＮＭＳ；Ｎｅｔｗｏｒｋ  Ｍａｎａｇｅｍｅｎｔ  Ｓｙｓｔｅｍ  ）に係り、特にネットワークエレメント（ＮＥ）のコマンドリストをネットワーク管理システム（ＮＭＳ）の内部に保持しておき、そのリストを用いてネットワークエレメント（ＮＥ）構成情報を取得するようなネットワーク管理システム（ＮＭＳ）および方法に関する。
【０００２】
ネットワーク管理システム（ＮＭＳ）は、ネットワークエレメント（ＮＥ）の構成管理や、ネットワークエレメント（ＮＥ）間の接続性管理、障害管理、性能管理などを行うシステムである。
ネットワークの発達に伴い新規のネットワークエレメント（ＮＥ）が既存のネットワークに追加されると、ネットワーク管理システム（ＮＭＳ）は、この新規に追加されたネットワークエレメント（ＮＥ）も管理する必要が生じる。
【０００３】
このようなネットワーク管理システム（ＮＭＳ）においては、新規ネットワークエレメント（ＮＥ）をサポートしていない場合でも未サポートネットワークエレメント（ＮＥ）の構成情報を自動的に収集し、ネットワーク管理の性能を向上させ得ることが要望される。
【０００４】
【従来の技術】
従来、ネットワーク管理システム（ＮＭＳ）において、ネットワークエレメント（ＮＥ）の構成管理を行う場合、ネットワーク管理システム（ＮＭＳ）は、予めネットワークエレメント（ＮＥ）の種別毎にネットワークエレメント（ＮＥ）へ送出するコマンドのリストを保持しておき、且つそのリストを参照してネットワークエレメント（ＮＥ）に対してコマンドを送出し、ＮＥ構成情報を取得していた（例えば、特許文献１参照）。
【０００５】
また、従来のネットワーク管理システム（ＮＭＳ）では、オペレータがコマンド投入補助機能を用いて、半自動的にコマンドを投入し、構成情報を随時収集する事ができる。すなわち、ＮＭＳは上記コマンドリストを整形してリスト形式でオペレータに提示し、オペレータが選択したコマンドをＮＥに送出して構成情報を取得していた。
【０００６】
図５は、従来技術によるネットワーク管理システムの構成図であり、１はＮＥの構成管理やＮＥ間の接続性管理、障害管理、性能管理等を行なうネットワーク管理システム（ＮＭＳ）、２は通信ネットワークを構成するネットワークエレメント（ＮＥ）、３はネットワーク管理システム（ＮＭＳ）を管理するユーザの操作端末である。
【０００７】
更に、ネットワーク管理システム（ＮＭＳ）１内の各構成部として、１１はユーザからのＮＥ管理要求を受け付ける要求受付部、１２はＮＥからのレスポンスデータが正常か異常かを判定するレスポンス解析部、１３はＮＥのデータをＮＭＳに表示するＮＥデータ表示部、１４はＮＥに対してコマンドの送受信を行なうコマンド送受信部、１５はＮＥからのレスポンスデータを保持しておくコマンドリスト保持部、１６はＮＥからのレスポンスデータを保持しておくＮＥデータ保持部、１７はコマンド送受信処理の制御とデータベース（コマンドリスト保持部１５、ＮＥデータ保持部１６）へアクセスを行なう制御部、１８はユーザに対して、コマンドリストをメニューなどの選択形式として提供するコマンド投入補助機能部である。
【０００８】
図６は、従来技術によるＮＥ構成情報自動収集のシーケンス図である。以下、図６の動作シーケンスについて、図５を用いて説明する。
（１）ＮＥ構成情報自動収集機能
Ｓ１．ユーザにより操作端末３から投入されるコマンド送信要求をネットワーク管理システム１内の要求受付部１１で受付ける。
【０００９】
Ｓ２．要求受付部１１からコマンド送信要求を受信した制御部１７は、コマンド送受信部１４に対してネットワーク管理システム１−ＮＥ２間のコネクション確立要求とＮＥ情報取得要求を出す。コマンド送受信部１４は、ＮＥ情報（ＮＥ種別とバージョン）を取得するコマンドをＮＥ２に送信する。
Ｓ３．ＮＥ２からのレスポンスデータは、ネットワーク管理システム１のコマンド送受信部１４を経由して制御部１７へ渡される。
【００１０】
Ｓ４．  ネットワーク管理システム１の制御部１７は、レスポンス解析部１２の解析結果を得てその解析結果が正常であれば、そのレスポンスデータから抽出したＮＥ種別とバージョンをキーにコマンドリスト保持部１５からコマンドリスト（  リスト１）  を取得する。このリスト１を例示すると次の表１の通りである。
【００１１】
【表１】
2004282640.tif 000003
【００１２】
Ｓ５．  制御部１７は、コマンドリスト保持部１５に該当するコマンドリスト（リスト１）が存在するか否かを判断し、存在しないためにリスト１を取得できない場合は終了となる。また、リスト１が存在する場合は次のステップへ進む。
Ｓ６．制御部１７は、取得したリスト１をコマンド送受信部１４へ渡し、コマンド送受信部１４は、ＮＥ２へコマンドを送信する。
【００１３】
Ｓ７．ＮＥ２は、それらのコマンドに対するレスポンスデータをネットワーク管理システム１に返すと、ネットワーク管理システム１内のコマンド送受信部１４でこのレスポンスを受け、制御部１７へレスポンスデータを渡す。
Ｓ８．  制御部１７は、レスポンス解析部１２へそのデータを渡し、レスポンス解析部１２は解析結果を返す。その解析結果が正常であれば、制御部１７はＮＥデータ保持部１６へデータを格納する。
【００１４】
なお、ユーザが操作端末３からのコマンド送信要求として、ＮＥ構成情報表示の要求をネットワーク管理システム１に対して行った時、上記と同じく要求受付部１１を経由して制御部１７に出す。制御部１７では、ＮＥデータ保持部１６から、該当するＮＥ構成情報を読み出し、  ユーザインタフェース上に読み出したＮＥ構成情報を表示する。従って、ＮＥ種別とバージョンから、ＮＥを特定し、そのＮＥのコマンドリストを特定できる。
（２）コマンド投入補助機能
図７は従来技術によるコマンド投入補助機能のシーケンス図である。以下、図７の動作シーケンスについて、図５を用いて説明する。
【００１５】
Ｓ９．ユーザにより操作端末３から投入されるコマンド投入補助機能の起動要求をネットワーク管理システム１内の要求受付部１１で受付ける。
Ｓ１０．要求受付部１１により起動されたコマンド投入補助機能部１８は、操作端末３から投入されるＮＥ種別とバージョンを受付ける。
Ｓ１１．コマンド投入補助機能部１８は、ＮＥ種別とバージョンをキーに、コマンドリスト保持部１５からコマンドリストを取得する。
【００１６】
Ｓ１２．コマンド投入補助機能部１８は、コマンドリスト保持部１５に該当するコマンドリストが存在しないためにリストを取得できない場合は終了となる。
Ｓ１３．コマンド投入補助機能部１８は、取得したコマンドリストを整形し、メニューなどの操作端末３が選択できる形式として表示する。
Ｓ１４．ユーザが操作端末３によりメニューからコマンドを選択すると、そのコマンドの雛型（  パラメータの値を除いたもの）  が表示され、さらに、パラメータの値を選択することにより、ＮＥ２へ投入するコマンド（  リスト２）  が完成する。このリスト２を例示すると次の表２の通りである。
【００１７】
【表２】
2004282640.tif 000004
【００１８】
【特許文献１】
特開平１０−２００５２８号公報
【００１９】
【発明が解決しようとする課題】
ネットワークの発達に伴い新規のネットワークエレメント（ＮＥ）が既存のネットワークに追加されると、ネットワーク管理システム（ＮＭＳ）は、新規に追加されたネットワークエレメント（ＮＥ）も管理する必要がある。しかし、従来のネットワーク管理システム（ＮＭＳ）では新規ネットワークエレメント（ＮＥ）に対応するコマンドリストを保持していない。本発明ではこのようなネットワークエレメント（ＮＥ）を「未サポートＮＥ」と呼ぶ事にする。未サポートＮＥに対しては、このままでは上記ＮＥ構成情報自動収集機能、およびコマンド投入補助機能が使用できないため、以下の方法で構成情報を収集する必要があった。
（１）オペレータは未サポートＮＥのコマンド種別、パラメータ等を調査し、コマンドを手入力で投入して構成情報を収集する。この方法では、コマンドの調査・入力に時間がかかる、入力ミスが起きやすい、という問題点があった。
（２）ネットワーク管理システム（ＮＭＳ）のエンハンス開発を行って、新規ネットワークエレメント（ＮＥ）に対応するコマンドリストを保持し、従来のＮＥ構成情報自動収集機能、及びコマンド投入補助機能が使えるようにする。この方法では、ネットワーク管理システム（ＮＭＳ）のエンハンス開発の為にコストがかかる、という問題点があった。
【００２０】
本発明は、このような従来技術の問題点を解決するものであって、新規（未サポート）のネットワークエレメント（ＮＥ）が既存のネットワークに追加されても効率よくＮＥの構成管理やＮＥ間の接続性管理、障害管理等を行うネットワーク管理システム及び方法を提供することを課題とする。
【００２１】
【課題を解決するための手段】
上記課題を解決するための第１の発明は、複数のネットワークエレメントと管理用ネットワークで接続され、各ネットワークエレメントを管理するネットワーク管理システムにおいて、前記ネットワークエレメント毎にコマンドのリストをあらかじめ保持しておくコマンドリスト保持手段と、前記コマンドリスト保持手段のコマンドリストに基いて前記ネットワークエレメントに対応するコマンド群を送出してネットワークエレメント構成情報を収集する情報収集手段と、未サポートネットワークエレメントからレスポンスデータを取得し、そのレスポンスデータからコマンドリストを自動生成するコマンド生成部とを有している。この第１の発明によれば、個々のネットワークエレメントに応じて適切なコマンドリストを自動生成することにより、新規ネットワークエレメントの構成管理上、コスト面および性能面が格段に向上させたネットワーク管理システムを提供できる。
【００２２】
第２の発明は、第１の発明において、前記コマンドリスト生成部により自動生成したコマンドリストを用いてネットワークエレメントから自動でネットワークエレメント構成情報を取得する構成情報取得手段を有する。
この第２の発明によれば、未サポートＮＥに対して、ＮＥ構成情報自動収集機能が使用できるネットワーク管理システムを提供できる。
【００２３】
第３の発明は、第１の発明において、前記コマンドリスト生成部により自動生成したコマンドリストとコマンド投入補助機能部を用いて未サポートネットワークエレメントへコマンドを投入するコマンド投入手段を有する。
この第３の発明によれば、未サポートＮＥに対して、コマンド投入補助機能が使用できるネットワーク管理システムを提供できる。
【００２４】
第４の発明は、複数のネットワークエレメントと管理用ネットワークで接続され、各ネットワークエレメントの構成管理およびネットワークエレメント間の接続性管理、障害管理、性能管理を行なうネットワーク管理方法であって、前記ネットワークエレメント毎にコマンドのリストをあらかじめ保持しておくコマンドリスト保持ステップと、前記保持手段のコマンドリストに基いて前記ネットワークエレメントに対応するコマンド群を送出してネットワークエレメント構成情報を収集する情報収集ステップと、未サポートネットワークエレメントからレスポンスデータを取得し、そのレスポンスデータからコマンドリストを自動生成するコマンド生成ステップとを含んでいる。
この第４の発明によれば、新規ネットワークエレメントの構成管理上、コスト面および性能面が格段に向上させたネットワーク管理方法を提供できる。
【００２５】
第５の発明は、第４の発明において、前記コマンド生成ステップにより自動生成したコマンドリストとコマンド投入補助機能部を用いて、未サポートネットワークエレメントへコマンドを投入するステップを含んでいる。
この第５の発明によれば、未サポートＮＥに対して、コマンド投入補助機能が使用できるネットワーク管理方法を提供できる。
【００２６】
【発明の実施の形態】
以下、本発明の実施の形態について、図を参照しながら説明する。なお、全図を通じて理解を容易とするために同様箇所には、同一符号を付して示すものとする。
図１は、本発明の一実施形態におけるネットワーク管理システムの構成図であり、１９はコマンドリスト取得要求に対するネットワークエレメント（ＮＥ）からのレスポンスデータからコマンドを生成するコマンド生成部、１４’はコマンド生成部１９で自動生成したコマンドリストを用いてネットワークエレメント（ＮＥ）から自動でＮＥ構成情報を取得するコマンド送受信部、１８’はコマンド生成部１９で生成したコマンドリストを用いて未サポートネットワークエレメント（ＮＥ）へコマンドを投入できるコマンド投入補助機能部である。
図２は、本発明の一実施形態におけるＮＥ構成情報自動収集機能及びコマンドリスト投入補助機能のフローチャートである。以下、図２の動作フローについて、図１を用いて説明する。
【００２７】
Ｓ１５．制御部１７は、ユーザにより操作端末３から投入される起動要求がＮＥ情報取得のためのコマンド送信要求か、又はコマンドリスト投入補助機能の起動要求かを判断する。コマンド送信要求の場合はＳ１６へ進み、コマンドリスト投入補助機能の起動要求の場合はＳ１７へ進む。
【００２８】
Ｓ１６．制御部１７は、コマンド送受信部１４に対してネットワーク管理システム１−ＮＥ２間のコネクション確立要求とＮＥ情報取得要求を出す。コマンド送受信部１４は、ＮＥ情報（ＮＥ種別とバージョン）を取得するコマンドをＮＥ２に送信する。
【００２９】
Ｓ１８．制御部１７は、ＮＥ情報取得コマンドのレスポンスデータからＮＥ種別とバージョンを抽出し、コマンドリスト保持部からＮＥ種別とバージョンをキーにコマンドリストを取得する場合にはＳ２０へ進み、ＮＥ情報取得コマンドのコマンドリストを受信できない場合にはＳ１９へ進む。
【００３０】
Ｓ１９．コマンド生成部分であり、制御部からレスポンスデータ（リスト３）を渡されてから、コマンドを生成するまでの処理を行なうが、その詳細は図３にて説明する。
Ｓ２０．未サポートＮＥのコマンドリストを生成し、それをデータベースに格納したため、制御部１７は、ＮＥデータ保持部１６から、該当するＮＥ構成情報を読み出すことができる。
【００３１】
Ｓ２１．操作端末３にあるユーザインタフェース上に、読み出したＮＥ構成情報を表示する。
Ｓ１７．一方、ユーザにより操作端末３からコマンド投入補助機能の起動要求を要求受付部１１で受け付けると、コマンド投入補助機能部１８’が起動され、ユーザは操作端末３より更にＮＥ種別とバージョンを入力する。
【００３２】
Ｓ１８．制御部１７は、ＮＥ情報取得コマンドのレスポンスデータからＮＥ種別とバージョンを抽出し、コマンドリスト保持部からＮＥ種別とバージョンをキーにコマンドリストを取得する場合にはＳ２２へ進み、ＮＥ情報取得コマンドのコマンドリストを受信できない場合にはＳ１９へ進む。
Ｓ１９．コマンド生成部分であり、制御部からレスポンスデータ（リスト３）を渡されてから、コマンドを生成するまでの処理を行なうが、その詳細は図３にて説明する。
【００３３】
Ｓ２２．コマンド投入補助機能部１８では、取得したコマンドリストを整形し、メニューなどのユーザが選択できる形式として表示する。
Ｓ２３．ユーザが操作端末３でメニューからコマンドを選択すると、そのコマンドの雛型（パラメータの値を除いたもの）が表示され、更に、ユーザがパラメータの値を選択することにより、ＮＥ２へ投入するコマンド（コマンド２）が完成する。
【００３４】
図３は、本発明の一実施形態におけるコマンドリスト生成部のフローチャートである。本フローチャートは、新規に追加したコマンド生成１９の詳細な動作フローであり、且つ、図２に示されるコマンドリスト生成部Ｓ１９の詳細内容であって、制御部１７からレスポンスデータ（リスト３）を渡されてから、コマンドを生成するまでの処理を示している。このリスト３を例示すると次の表３の通りである。
【００３５】
【表３】
2004282640.tif 000005
【００３６】
Ｓ２４．コマンド生成部１９は，コマンドリストを格納するバッファを作成する。
Ｓ２５．レスポンスデータからバッファへ１行読み込む。
Ｓ２６．［コマンド繰り返し］その一行が＜コマンドリスト＞ならば、つぎの一行を読み込む。
【００３７】
Ｓ２７．その一行が＜コマンド＞ならば、つぎの一行を読み込む。
Ｓ２８．＜／コマンドリスト＞ならば［終了処理］へ移動する。
Ｓ２９．その一行が＜タイプ＞タイプ名文字列＜／タイプ＞ならば、タイプ名文字列に対応するタイプ（  例えば更新系や取得系など）  の領域のコマンド領域を確保する。
（１）タイプ＝  取得系の場合
Ｓ３１．つぎの一行を読み込む。その一行が＜コマンド名＞コマンド名文字列＜／コマンド名＞ならば、コマンド名文字列をコマンド名領域に格納する。
【００３８】
Ｓ３２．つぎの一行を読み込む。その一行が＜構成情報取得用ＡＩＤ＞ＡＩＤ文字列＜／構成情報取得用ＡＩＤ＞ならば、ＡＩＤ文字列を構成情報取得用ＡＩＤ領域に格納する。
Ｓ３３．つぎの一行を読み込む。その一行が＜ＡＩＤ＞ＡＩＤリスト＜／ＡＩＤ＞（ＡＩＤリストは複数のＡＩＤをカンマで区切ったもの）ならば、ＡＩＤ毎にＡＩＤ配列に格納する。
【００３９】
Ｓ３４．つぎの一行を読み込む。その一行が＜／コマンド名＞ならば、［コマンド繰り返し］へ移動する。
（２）タイプ＝  取得系以外（更新系、登録系、削除系）の場合
Ｓ３５．つぎの一行を読み込む。その一行が＜コマンド名＞コマンド名文字列＜／コマンド名＞ならば、コマンド名文字列をコマンド名領域に格納する。
【００４０】
Ｓ３６．つぎの一行を読み込む。その一行が＜ＡＩＤ＞ＡＩＤリスト＜／ＡＩＤ＞ならば、ＡＩＤ毎にＡＩＤ配列に格納する。
Ｓ３７．つぎの一行を読み込む。
Ｓ３８．その一行が＜パラメータ＞ならば、次の一行を読み込む。
Ｓ３９．＜／コマンド＞ならば、［コマンド繰り返し］へ移動する。
［パラメータ繰り返し］
Ｓ４０．その一行が＜パラメータ名＞パラメータ名文字列＜／パラメータ名＞ならば、パラメータ名文字列をパラメータ名領域に格納する。
【００４１】
Ｓ４１．つぎの一行を読み込む。その一行が＜値＞リスト＜／値＞（リストはカンマで区切った複数の要素）ならば、要素ごとに値配列に格納する。
Ｓ４２．つぎの一行を読み込む。その一行が＜／パラメータ＞ならば、［パラメータ繰り返し］へ移動する。
［終了処理］
Ｓ４３．バッファからコマンドリストを取り出し、ＮＥ名とバージョンをコマンドリストにマッピングし、これを制御部１７に渡してコマンドリスト保持部１５に格納することでコマンドを生成する。
【００４２】
図４は、本発明の一実施形態におけるコマンドリスト保持部のデータ構造図である。このデータ構造は、ＮＥ名とそのバージョン単位に、取得系タイプのコマンド領域と更新系タイプのコマンド領域に分かれ、それぞれの格納領域にコマンド名、構造情報取得用ＡＩＤ、ＡＩＤ配列、パラメータ名、値配列（リストがカンマで区切った複数の要素の場合、要素ごとに値配列に格納する。）が格納される。
【００４３】
【発明の効果】
以上説明したように、本発明は、個々のネットワークエレメント（ＮＥ）に応じて適切なコマンドリストを自動生成するため、新規ＮＥの構成管理のためのエンハンス開発が不要となり、また、ネットワーク管理システム（ＮＭＳ）のオペレータの保守作業において、未サポートのＮＥからＮＥ構成情報を取得する作業時間が短縮できるため、開発コスト及び人件費の削減が可能なネットワーク管理システムおよび方法を提供できる。
【００４４】
更に、未サポートＮＥに対して、ＮＥ構成情報自動収集機能やコマンド投入補助機能が使用できるようになるとともに、コマンドの入力において人為的なミスを防ぐことができるため、高性能なネットワーク管理システムおよび方法を提供できる。
【図面の簡単な説明】
【図１】本発明の一実施形態におけるネットワーク管理システムの構成図である。
【図２】本発明の一実施形態におけるＮＥ構成情報自動収集機能及びコマンドリスト投入補助機能のフローチャートである。
【図３】本発明の一実施形態におけるコマンドリスト生成部のフローチャートである。
【図４】本発明の一実施形態におけるコマンドリスト保存部のデータ構造図である。
【図５】従来技術によるネットワーク管理システムの構成図である。
【図６】従来技術によるＮＥ構成情報自動収集機能のシーケンス図である。
【図７】従来技術によるコマンド投入補助機能のシーケンス図である。
【符号の説明】
１      ネットワーク管理システム（ＮＭＳ）
２        ネットワークエレメント（ＮＥ）
３    操作端末
１１    要求受付部
１２    レスポンス解析部
１３    ＮＥデータ表示部
１４    コマンド送受信部
１５    コマンドリスト保持部
１６    ＮＥデータ保持部
１７    制御部
１８    コマンド投入補助機能部
１９    コマンド生成部
２０    ＮＥ名 バージョン
２１    取得系コマンド領域
２２    更新系コマンド領域
【図１】
2004282640.tif 000006
【図２】
2004282640.tif 000007
【図３】
2004282640.tif 000008
【図４】
2004282640.tif 000009
【図５】
2004282640.tif 000010
【図６】
2004282640.tif 000011
【図７】
2004282640.tif 000012